(57)【要約】【課題】構造物に固定されているものに対して後から連結して設置固定でき、また、上下両方に固定部を有するものにおいて、上方の固定部で構造物に固定した後配線・配管材を支持した状態においても、下方の固定部に支障なくビスを固定できる配線・配管材支持具及び連結装置を提供する。【解決手段】固定部を両端に有する基部と、支持部と、を備えた。壁面５０にビス固定された他の支持具１Ａに対して、上端部の固定部１３を、他の支持具１Ａの下端部の固定部１５に対してビス４０の挿通方向に重合した状態で、他の支持具１Ａと両固定部の並び方向を揃えた状態で、他の支持具１Ａの下端部の固定部１５に挿通されたビス４０の頭部４１と干渉することなく、連結可能とし、連結した状態で下端部の固定部１５のビス挿通孔に挿通したビス４０により壁面５０に固定するものとした。【選択図】図３
2020118266.tif 000002
【特許請求の範囲】
【請求項１】
構造物に沿わせて固定するためのビスで固定可能なビス挿通孔を備えた固定部を両端に有する基部と、該基部から延出された配線・配管材支持部と、を備えた配線・配管材支持具であって、
両固定部で前記構造物にビスで固定された同一形状を成す他の配線・配管材支持具に対して、
両固定部のうちの一方の固定部を、前記他の配線・配管材支持具の両固定部のうちの他方の固定部に対して前記ビスの挿通方向に重合した状態であって、前記他の配線・配管材支持具の両固定部の並び方向と前記両固定部の並び方向を揃えた状態で、前記構造物にビスで固定された前記他の配線・配管材支持具における前記他方の固定部のビス挿通孔に挿通された前記ビスの頭部と干渉することなく、連結可能であるとともに、
前記連結した状態で前記両固定部のうちの他方の固定部のビス挿通孔に挿通されたビスにより前記構造物に固定可能であることを特徴とする配線・配管材支持具。
【請求項２】
構造物に沿わせて固定するためのビスで固定可能なビス挿通孔を備えた固定部を両端に有する基部と、該基部から延出された配線・配管材支持部と、を備えた配線・配管材支持具であって、
同一形状を成す他の配線・配管材支持具に対して、
両固定部のうちの一方の固定部を、前記他の配線・配管材支持具の両固定部のうちの他方の固定部に対して前記ビスの挿通方向に重合した状態であって、前記他の配線・配管材支持具の両固定部の並び方向と前記両固定部の並び方向を揃えた状態で、連結可能であり、かつ、
重合した前記一方の固定部と前記他の配線・配管材支持具における前記他方の固定部の各ビス挿通孔の相対位置が一致し、さらに、
前記連結した状態で前記一方の固定部と、前記他の配線・配管材支持具における前記他方の固定部との間に、前記ビスの頭部を収容する隙間が形成されることを特徴とする配線・配管材支持具。
【請求項３】
前記両固定部のうちの他方の固定部側に被係止部が設けられ、挿通する前記ビスの挿通方向にスライドさせることで前記他の配線・配管材支持具における前記被係止部に係止する係止部が前記一方の固定部側から延設されていることを特徴とする請求項１または請求項２に記載の配線・配管材支持具。
【請求項４】
前記配線・配管材支持部は、上面側に配線・配管材を載置する載置面が形成され、前記配線・配管材支持部の下側に、下方に向けて垂下した補強壁が設けられ、
前記補強壁における下端縁の前記基部側には、水平方向に張り出した被掛止部が設けられ、
前記一方の固定部における前記ビス挿通孔より上方に、前記補強壁を受け入れる受入空間と、前記被掛止部に掛止する掛止部と、が設けられ、
前記受入空間に前記補強壁を挿入するとともに、前記基部側に向けてスライドすることで、前記被掛止部に前記掛止部を引掛けて連結可能になっていることを特徴とする請求項１乃至請求項３のいずれかに記載の配線・配管材支持具。
【請求項５】
構造物にビスで固定するためのビス挿通孔を有する固定部を下端に備えた、前記構造物に沿わされる基部を有するベース体と、
前記ベース体に連結される連結部を備えた吊下げ体と、
からなる連結装置であって、
前記固定部より上方に、上下方向に延設されるとともに前記基部から離間する方向に延びる壁部が設けられ、該壁部における下端縁の前記基部側には、水平方向に張り出した被掛止部が設けられ、
前記吊下げ体の連結部は、前記壁部を受け入れる受入空間と、前記被掛止部に掛止される掛止部と、を備え、
前記吊下げ体の前記受入空間に前記壁部を挿入するとともに、前記ベース体の基部側に向けてスライドすることで、前記ベース体の被掛止部に前記吊下げ体の掛止部を引掛け可能であり、かつ、
前記引掛けた状態で、前記固定部のビス挿通孔に挿通されて前記構造物に固定されたビスの頭部と干渉しないように前記固定部と重合可能とすべく、頭部収容空間が形成されることを特徴とする連結装置。
【請求項６】
構造物にビスで固定するためのビス挿通孔を有する固定部を下端に備えた、構造物に沿わされる基部と、前記固定部より上方で前記基部から延出され、上面側に配線・配管材を載置する載置面が形成された配線・配管材受け部と、を備えた配線・配管材受け具と、
該配線・配管材受け具に連結される連結部を備えた吊下げ体と、
からなる連結装置であって、
前記配線・配管材受け部の下側に、下方に向けて垂下した補強壁が設けられ、該補強壁における下端縁の前記基部側には、水平方向に張り出した被掛止部が設けられ、
前記連結部は、前記補強壁を受け入れる受入空間と、前記被掛止部に掛止される掛止部と、を備え、
前記受入空間に前記補強壁を挿入するとともに、前記基部側に向けてスライドすることで、前記被掛止部に前記掛止部を引掛け可能であり、かつ、
前記引掛けた状態で、前記固定部のビス挿通孔に挿通されて前記構造物に固定されたビスの頭部と干渉しないように前記固定部と重合可能とすべく、頭部収容空間が形成されることを特徴とする連結装置。
【発明の詳細な説明】
【技術分野】
【０００１】
本発明は、配線・配管材を支持する配線・配管材支持具に関するもので、特に、相互に連結できる配線・配管材支持具及び連結装置に関するものである。
【背景技術】
【０００２】
ケーブル、信号線等の配線材や電線管、給水管等の配管材を布設経路に沿って配線、配管するときは、配線・配管材を支持部に収容して支持する支持具を布設方向に所定間隔で配設している。配線・配管材の布設は、複数の配線・配管材が壁面や床面等に沿って並行して配線、配管されることも多いことから、複数の配線・配管材を整列して布設するために、複数の支持具を並列状態に連結して使用するものがある。図８は、特許文献１に記載された支持具を示し、この支持具は、複数を壁面に沿って上下方向に並設することにより、複数の配線・配管材を壁面等に沿って上下に並列させて布設することができる。
【０００３】
特許文献１に記載の支持具は、図８(a)及び(b)に示すように、上方にビス挿通孔６２を有する固定部６３が設けられ、下方にビス挿通孔６４を有する保持突片６５が設けられている。また、底壁６６の下方には、固定部６３のビス挿通孔６２に嵌入して係止可能な突部６７が設けられている。
【０００４】
一方の支持具６０と他方の支持具６１とを上下に連結するには、図８(c)及び(d)に示すように、他方の支持具６１の固定部６３のビス挿通孔６２に一方の支持具６０の突部６７が嵌まり込むように他方の支持具６１を一方の支持具６０に矢印方向からあてがい、固定部６３のビス挿通孔６２内に突部６７を嵌入させて２つの支持具を上下に組み付ける。その後は、一方の支持具６０の固定部６３のビス挿通孔６２にビスを挿通して壁面５０に固定するとともに、他方の支持具６１の保持突片６５のビス挿通孔６４にビスを挿通して壁面５０に固定する。これにより２つの支持具が上下に連結される。２つの支持具が壁面５０に取り付けられたら、各支持具の受け部６８内にケーブルを載置し収容する。
【先行技術文献】
【特許文献】
【０００５】
【特許文献１】特開２０１７−１２９２６０号公報
【発明の概要】
【発明が解決しようとする課題】
【０００６】
しかし、特許文献１に記載の支持具は、一方の支持具６０の底壁６６の背面側すなわち壁面５０側からしか他方の支持具６１を上下方向に組み付けることはできないから、一方の支持具６０を壁面に設置した後に、追加で他方の支持具６１を一方の支持具６０の下方に連結して設置することはできなかった。すなわち、上下２つの支持具は互いに組み付けてからでないと壁面５０に固定することはできなかった。
【０００７】
また、２つの支持具を上下に連結し、上方の固定部６３のビス挿通孔６２にビスを挿通して壁面５０に固定した後、下方の保持突片６５のビス挿通孔６４にビスを挿通して壁面５０に固定する作業を行なう際に、それより先にケーブルを受け部６８に支持させると、そのケーブルがビス挿通孔６４の前方を塞いで邪魔するため、保持突片６５のビス挿通孔６４へのビス固定作業を行ないにくかった。これは、１つの支持具のみを固定するときも同様であり、固定部６３を固定してからケーブルを受け部６８に支持させ、その後に保持突片６５のビス挿通孔６４にビス固定することは作業しにくいものであった。
【０００８】
そこで、本発明は、構造物に固定されているものに対して後から連結して設置固定でき、また、上下両方に固定部を有するものにおいて、上方の固定部で構造物に固定した後配線・配管材を支持した状態においても、下方の固定部に支障なくビスを固定できる配線・配管材支持具及び連結装置の提供を課題とするものである。
【課題を解決するための手段】
【０００９】
請求項１の配線・配管材支持具は、構造物に沿わせて固定するためのビスで固定可能なビス挿通孔を備えた固定部を両端に有する基部と、該基部から延出された配線・配管材支持部と、を備えたものであって、両固定部で前記構造物にビスで固定された同一形状を成す他の配線・配管材支持具に対して、両固定部のうちの一方の固定部を、前記他の配線・配管材支持具の両固定部のうちの他方の固定部に対して前記ビスの挿通方向に重合した状態であって、前記他の配線・配管材支持具の両固定部の並び方向と前記両固定部の並び方向を揃えた状態で、前記構造物にビスで固定された前記他の配線・配管材支持具における前記他方の固定部のビス挿通孔に挿通された前記ビスの頭部と干渉することなく、連結可能であるとともに、前記連結した状態で前記両固定部のうちの他方の固定部のビス挿通孔に挿通されたビスにより前記構造物に固定可能なものである。
請求項２の配線・配管材支持具は、請求項１の配線・配管材支持具が、構造物にビスで固定された他の配線・配管材支持具に対して連結されたものであるのに対し、他の配線・配管材支持具が構造物にビスで固定されたものに限定されないものであり、また、重合した一方の固定部と他の配線・配管材支持具における他方の固定部の各ビス挿通孔の相対位置が一致するものである。
【００１０】
請求項３の配線・配管材支持具は、特に、両固定部のうちの他方の固定部側に被係止部が設けられ、挿通する前記ビスの挿通方向にスライドさせることで前記他の配線・配管材支持具における前記被係止部に係止する係止部が前記一方の固定部側から延設されるものである。
請求項４の配線・配管材支持具は、特に、配線・配管材支持部は、上面側に配線・配管材を載置する載置面が形成され、前記配線・配管材支持部の下側に、下方に向けて垂下した補強壁が設けられ、前記補強壁における下端縁の前記基部側には、水平方向に張り出した被掛止部が設けられ、前記一方の固定部における前記ビス挿通孔より上方に、前記補強壁を受け入れる受入空間と、前記被掛止部に掛止する掛止部と、が設けられ、前記受入空間に前記補強壁を挿入するとともに、前記基部側に向けてスライドすることで、前記被掛止部に前記掛止部を引掛けて連結可能となっているものである。ここで、配線・配管材支持具の連結は、受入空間への補強壁の挿入と掛止部の基部側に向けてのスライドとによって行なわれるが、挿入とスライドの先後は問わない。
【００１１】
請求項５の連結装置は、構造物にビスで固定するためのビス挿通孔を有する固定部を下端に備えた、前記構造物に沿わされる基部を有するベース体と、前記ベース体に連結される連結部を備えた吊下げ体と、からなるものであって、前記固定部より上方に、上下方向に延設されるとともに前記基部から離間する方向に延びる壁部が設けられ、該壁部における下端縁の前記基部側には、水平方向に張り出した被掛止部が設けられ、前記吊下げ体の連結部は、前記壁部を受け入れる受入空間と、前記被掛止部に掛止される掛止部と、を備え、前記吊下げ体の前記受入空間に前記壁部を挿入するとともに、前記ベース体の基部側に向けてスライドすることで、前記ベース体の被掛止部に前記吊下げ体の掛止部を引掛け可能であり、かつ、前記引掛けた状態で、前記固定部のビス挿通孔に挿通されて前記構造物に固定されたビスの頭部と干渉しないように前記固定部と重合可能とすべく、頭部収容空間が設けられている。
請求項６の連結装置は、請求項５の連結装置に対して、ベース体が、配線・配管材受け具に限定されたものである。
【発明の効果】
【００１２】
請求項１の発明は、構造物にビスで固定した他の支持具に対して、一方の固定部を、他の支持具の他方の固定部に対してビスの挿通方向に重合した状態で、他の支持具における他方の固定部に挿通されたビスの頭部と干渉することなく、連結可能であるから、構造物に固定されている他の支持具に対して後から支持具を連結して構造物に固定することができる。
また、支持具は、基部の両端に、ビス挿通孔を備えた固定部を有し、基部から延出された支持部は他方の固定部より上方に位置するから、一方の固定部で構造物に固定し、配線・配管材を支持させた後であっても、その配線・配管材が邪魔になることはなく、他方の固定部のビス挿通孔にビスを支障なく挿通して構造物に固定することができる。
【００１３】
請求項２の発明は、他の支持具に対して、一方の固定部を、他の支持具の他方の固定部に対してビスの挿通方向に重合した状態で、連結可能であり、連結した状態で一方の固定部と他の支持具の他方の固定部との間にビスの頭部を収容する隙間が形成されるので、請求項１の発明と同様に、他の支持具における他方の固定部に挿通されたビスの頭部と干渉することなく、構造物に固定されている他の支持具に対して後から支持具を連結して設置固定することができるし、他の支持具と組み付けてから構造物に固定することもできる。また、支持具は、基部の両端に、ビス挿通孔を備えた固定部を有し、基部から延出された支持部は他方の固定部より上方に位置するから、配線・配管材を支持させた後であっても、下方の固定部のビス挿通孔にビスを支障なく挿通して構造物に固定することができる。
加えて、重合した一方の固定部と他の支持具における他方の固定部との各ビス挿通孔の相対位置が一致するので、両ビス挿通孔が連通し、他の支持具と連結した状態でビスを挿通することができる。
【００１４】
請求項３の発明は、特に、係止部を他の支持具の被係止部に対してビスの挿通方向にスライドさせるだけで簡単に他の支持具に組み付けることができる。
また、請求項４の発明は、特に、受入れ空間に補強壁を挿入するとともに、掛止部を他の支持具の被掛止部に対して基部側に向けてスライドさせるだけで簡単に他の支持具に組み付けることができる。
【００１５】
請求項５の発明は、吊下げ体の掛止部はベース体の被掛止部に対してベース体の固定部側に向けてスライドすることで引掛けて連結できるとともに、引掛けた状態で、吊下げ体の連結部がベース体の固定部のビス挿通孔に挿通されたビスの頭部と干渉しないように頭部収容空間が設けられているから、請求項１と同様にして、構造物に固定されているベース体に対して後から吊下げ体を連結して設置固定することもできる。
【００１６】
また、請求項６の発明は、請求項５の発明と同様に、吊下げ体の掛止部は配線・配管材受け具の被掛止部に対して基部側に向けてスライドすることで引掛けて連結できるとともに、引掛けた状態で、吊下げ体の連結部が配線・配管材受け具の固定部のビス挿通孔に挿通されたビスの頭部と干渉しないように頭部収容空間が設けられているから、請求項１と同様にして、構造物に固定されている配線・配管材受け具に対して後から吊下げ体を連結して設置固定することもできる。
加えて、配線・配管材受け部は、基部の下端に備えられた固定部より上方で基部から延出されているから、請求項１の発明と同様に、配線・配管材受け部に配線・配管材を支持した後であっても、基部の下端の固定部のビス挿通孔にビスを支障なく挿通して構造物に固定することができる。
【図面の簡単な説明】
【００１７】
【図１】本発明の実施形態の配線・配管材支持具を示す斜視図であり、(a)は正面側を斜め下方から見た図、(b)は背面側を斜め上方から見た図である。
【図２】図１の支持具を示し、(a)は平面図、(b)は正面図、(c)は右側面図、(d)は(a)のＡ−Ａ切断線による断面図、(e)は(b)のＢ−Ｂ切断線による断面図である。
【図３】図１の支持具を壁面に固定された他の支持具に連結して壁面に固定する方法を説明する説明図である。
【図４】図１の支持具を壁面に固定されている他の支持具に連結して壁面に固定した状態を示し、(a)は正面側を斜め上方から見た斜視図、(b)は背面側を斜め上方から見た斜視図、(c)は平面図、(d)は(c)のＤ−Ｄ切断線による断面図、(e)は図３(c)のＣ−Ｃ切断線による断面図である。
【図５】図１の支持具を他の支持具に連結してから壁面に固定する方法を説明する説明図である。
【図６】図１の支持具を横方向に連結して壁面に固定する方法を説明する説明図である。
【図７】図１の支持具の変形例を示す正面図である。
【図８】従来の配線・配管材支持具を示す図である。
【発明を実施するための形態】
【００１８】
以下、本発明の実施形態の配線・配管材支持具及び連結装置を図に基づいて説明する。なお、以下においては、図１における上下方向を実施品の上下方向として説明する。
【００１９】
図１及び図２において、配線・配管材支持具（以下、単に「支持具」という。）は、構造物に固定するためのビス挿通孔を備えた固定部を両端に有する基部１０と、基部１０から延出された配線・配管材支持部（以下、単に「支持部」という。）と、を備えている。支持具１は、図３に示すように、両固定部で構造物にビス固定した他の支持具１Ａに対して、両固定部のうちの一方を、他の支持具１Ａの両固定部のうちの他方の固定部１５に対してビス４０の挿通方向に重合した状態であって、他の支持具１Ａと両固定部の並び方向を揃えた状態で、構造物にビス固定された他の支持具１Ａにおける他方の固定部１５に挿通されたビス４０の頭部４１と干渉することなく、連結可能であるとともに、連結した状態で他方の固定部１５のビス挿通孔１６に挿通されたビス４０により構造物に固定可能となっている。本実施形態では、構造物として建物の壁面５０を例示し、配線・配管材としてケーブルを例示する。以下、各構成部材について詳細に説明する。
【００２０】
図１及び図２において、基部１０は、上下方向に長い矩形板状の底壁部１１の左右両側に一対の側壁部１２，１２が立設され、上端部に、壁面５０に沿わせて固定するためのビス固定可能なビス挿通孔１４を備えた固定部１３が設けられている。また、基部１０の下端部には、壁面５０に沿わせて固定するためのビス固定可能なビス挿通孔１６を備えた固定部１５が設けられている。上端部の固定部１３は、請求項の一方の固定部に相当し、下端部の固定部１５は、請求項の他方の固定部に相当する。
【００２１】
基部１０の上端部には、図４に示すように支持具１同士を上下に連結するための掛止部１７が設けられている。掛止部１７は、図１、図２(c)及び図４(e)に示すように、基部１０の上端部において支持部３０側に鈎状に突出する一対の側壁部１２，１２の各上端から互いに向かい合う方向に一対のフランジ状の掛止片１８，１８が張り出して形成されている。掛止部１７は断面略Ｃ字状に形成され、その内部空間に後述する被掛止部３３が挿入可能となっている。掛止部１７の一対の掛止片１８，１８の間はスリット状の隙間に形成され、その隙間は、後述する補強壁３２が嵌入する受入空間２０を構成しており、その間隔は補強壁３２の板厚と略同一の大きさに形成されている。また、図２(c)に示す、掛止片１８と底壁部１１との間隙１９は、被掛止部３３の板厚より僅かに小さく形成され、その間隙に被掛止部３３が圧入されるようになっている。
【００２２】
また、基部１０の中間部には、各側壁部１２の先端部から互いに向かい合う方向に鈎状に屈曲する一対のフランジ状の掛止片２１，２１が突設されている。この一対の掛止片２１，２１は、図６に示すように、支持具１同士を横方向に連結するための第二掛止部２２を構成している。この横連結用の第二掛止部２２の一対の掛止片２１，２１の隙間は、後述の横連結用の補強壁３６が嵌入する横連結用の受入空間２４を構成しており、その間隔は補強壁３６の板厚と略同一の大きさに形成されている。また、図２(d)に示した、掛止片２１と底壁部１１との間隙２３は後述する横連結用の第二被掛止部３５の板厚より僅かに小さく形成され、その間隙に第二被掛止部３５が圧入されるようになっている。
【００２３】
ここで、図４(d)に示す、支持具１の上端部の固定部１３と他の支持具１Ａの下端部の固定部１５との隙間Ｌは、ビス４０の頭部４１の高さより大きい寸法に形成されている。これにより、両支持具を連結後に、他の支持具１Ａの下端部の固定部１５に挿通されたビス４０の頭部４１が支持具１の上端部の固定部１３と干渉するのが防止される。
【００２４】
一方、支持部３０は、基部１０の下部であって下端部の固定部１５より上方位置において底壁部１１から水平方向に延設されている。支持部３０は、円弧板状に形成され、ケーブルを支持する載置面３１が形成されている。載置面３１の下側には、下方に垂下した補強壁３２が設けられている。更に、補強壁３２における下端側には、水平方向に張り出し、上端部の掛止部１７を引掛け可能な被掛止部３３が設けられている。被掛止部３３の板厚は、掛止部１７の掛止片１８と底壁部１１との間隙１９より僅かに大きく形成され、被掛止部３３を弾性的に掛止部１７の内部空間に圧入できるようになっており、被掛止部３３は掛止部１７内で挟持されて２つの支持具が上下に連結されるようになっている。
【００２５】
載置面３１の先端側には垂直壁３４が形成されており、垂直壁３４は基部１０に対して上方が狭くなる方向に僅かに傾斜している。垂直壁３４にはＬ字板状の横連結用の第二被掛止部３５が突設され、この第二被掛止部３５と垂直壁３４との間隙は第二掛止部２２の掛止片２１と同一か僅かに小さい板厚に形成されている。更に、第二被掛止部３５の幅方向中間部には垂直壁３４との間に、矩形板状の補強壁３６が設けられており、補強壁３６の板厚は、一対の掛止片２１，２１間の間隙と略同一の大きさに形成されている。
【００２６】
次に、このように形成された支持具１を、壁面５０に固定されている他の支持具１Ａに対して上下方向に連結した状態で壁面５０に固定する方法を説明する。
図３(a)に示すように、他の支持具１Ａは、上端部の固定部１３のビス挿通孔１４及び下端部の固定部１５のビス挿通孔１６にビス４０を挿通して壁面５０に固定されている。そこで、この他の支持具１Ａに対して、下方から支持具１の掛止部１７を他の支持具１Ａの補強壁３２に近接して受入空間２０内に補強壁３２を挿入する。次いで、図３(b)に示すように、支持具１の掛止部１７を基部１０側に向けて水平方向にスライドさせて掛止部１７の内部空間に被掛止部３３を挿入する。挿入後、掛止部１７の掛止片１８と底壁部１１との間隙１９は被掛止部３３の板厚より僅かに小さいので、被掛止部３３は掛止片１８と底壁部１１とで挟持され、両支持具の基部１０の端部同士はビス４０の挿通方向つまり図３(b)の右方向から水平左方向に重合される。その後、支持具１の下端部の固定部１５のビス挿通孔１６にビス４０を挿通してビス締めすることにより、図３(c)及び図４に示すように、支持具１は、他の支持具１Ａに対して上下方向に連結された状態で壁面５０に固定される。このようにして支持具１と他の支持具１Ａとが上下方向に連結されたものは、連結装置２を構成する。
【００２７】
このとき、支持具１の上端部の固定部１３は、他の支持具１Ａの下端部の固定部１５のビス挿通孔１６に挿通されたビス４０の頭部４１と干渉することなく連結される。なお、支持具１の掛止部１７は、壁面５０に近接する方向で引掛けられるから、上端部の固定部１３が多少ビス４０の頭部４１と干渉したとしても下端部の固定部１５で固定することにより、僅かに斜めにはなるものの、安定して壁面５０に固定することができる。したがって、支持具１の上端部の固定部１３と他の支持具１Ａの下端部の固定部１５との隙間は、厳密にビス４０の頭部４１の高さより大きくする必要はない。
【００２８】
ここで、このように連結された支持具１において、支持具１は請求項の吊下げ体にも相当し、他の支持具１Ａは請求項のベース体、配線・配管材受け具にも相当し、これらを連結したものは請求項の連結装置に相当するものである。また、補強壁３２は請求項の壁部にも相当し、掛止部１７及び受入空間２０は連結部にも相当し、支持部３０は配線・配管材受け部にも相当するものであり、支持具１の上端側の固定部１３と他の支持具１Ａの下端部の固定部１５との隙間は、頭部収容空間にも相当する。
【００２９】
次に、支持具は、複数を上下方向に連結してから壁面５０に固定することもできる。
図５(a)に示すように、他の支持具１Ａに対して、下方から支持具１の受入空間２０内に他の支持具１Ａの補強壁３２を挿入し、支持具１の掛止部１７を他の支持具１Ａの基部１０側に向けて水平方向にスライドさせて掛止部１７の内部空間に他の支持具１Ａの被掛止部３３を挿入する。挿入した後、図５(b)に示すように、他の支持具１Ａの被掛止部３３は支持具１の掛止部１７の掛止片１８と底壁部１１とで挟持され、両支持具の基部１０の端部同士はビス４０の挿通方向に重合した状態で連結される。
【００３０】
このとき、上端部の固定部１３と他の支持具１Ａの下端部の固定部１５との間に、ビス４０の頭部４１を収容する隙間が形成される。また、重合した上端部の固定部１３と他の支持具１Ａにおける下端部の固定部１５の各ビス挿通孔の相対位置が一致する。そこで、他の支持具１Ａの上端部の固定部１３のビス挿通孔１４、重合して連通している支持具１の上端部の固定部１３及び他の支持具１Ａの下端部の固定部１５の各ビス挿通孔、及び支持具１の下端部の固定部１５のビス挿通孔１６の計３箇所にビス４０を挿通して締め付ける。これにより、図５(c)に示すように、支持具１は、他の支持具１Ａに対して上下方向に連結された状態で壁面５０に固定される。
【００３１】
次に、本実施形態の支持具１の作用を説明する。
支持具１は、壁面５０にビス固定されている他の支持具１Ａに対して、上端部の固定部１３を、他の支持具１Ａの下端部の固定部１５に対してビス４０の挿通方向に重合した状態で、他の支持具１Ａの下端部の固定部１５に挿通されたビス４０の頭部４１と干渉することなく、連結可能であるから、壁面５０に固定されている他の支持具１Ａに対して後から連結して壁面５０に固定することができる。
【００３２】
また、支持具１は、基部１０の上下両端に、ビス挿通孔を備えた固定部を有し、基部１０から延出された支持部３０は下端部の固定部１５より上方に位置するから、上方の固定部で壁面５０に固定し、支持部３０でケーブルを支持した後であっても、そのケーブルが固定の邪魔になることはなく、下端部の固定部１５のビス挿通孔１６に支障なくビス４０を挿通して壁面５０に固定することができる。
【００３３】
そして、前述のように、支持具１は、他の支持具１Ａと組み付けてから壁面５０に固定することもできる。この場合、重合した上端部の固定部１３と他の支持具１Ａにおける下端部の固定部１５との各ビス挿通孔の相対位置が一致している。このため、両ビス挿通孔が連通し、他の支持具１Ａと連結した状態でビス４０を挿通することができる。
【００３４】
更に、受入空間２０に補強壁３２を挿入するとともに、支持部１の掛止部１７を他の支持具１Ａの被掛止部３３に対して基部１０側に向けてスライドさせるだけで支持具１を簡単に他の支持具１Ａに組み付けることができる。
【００３５】
ところで、前述の実施形態は、２つの支持具を上下方向に連結した連結装置２を説明しているが、本実施形態の支持具１は、横方向に連結する連結装置３とすることもできる。
【００３６】
図６(a)に示すように、他の支持具１Ａは、上端部の固定部１３及び下端部の固定部１５の各ビス挿通孔にビス４０を挿通して壁面５０に固定されている。この他の支持具１Ａの第二被掛止部３５に対して、上方から支持具１の第二掛止部２２を他の支持具１Ａの補強壁３６に近接して受入空間２４内に補強壁３６を挿入する。次いで、支持具１の第二掛止部２２を垂直下方にスライドさせて第二掛止部２の掛止片２１と底壁部１１との間隙内に他の支持具１Ａの第二被掛止部３５を挿入する。挿入後、支持具１の第二掛止部２２の掛止片２１と底壁部１１との間隙は他の支持具１Ａの第二被掛止部３５の板厚より僅かに小さいので、他の支持具１Ａの第二被掛止部３５は支持具１の第二掛止部２２の掛止片２１と底壁部１１とで挟持され、支持具１の基部１０の底壁部１１と他の支持具１Ａの垂直壁３４とが横方向に重合される。これにより、図６(b)に示すように、支持具１は、壁面５０に固定されている他の支持具１Ａに対して横方向に連結される。
【００３７】
ここで、図６に示すように、支持部３０は全体に先端側が上方に僅かに持ち上がり、垂直壁３４は基部１０に対して上方が狭くなる方向に僅かに傾斜している。このようにケーブルを載置する前の状態において支持部３０を傾斜させているのは、複数の支持具を横方向に順次連結したとき、載置面３１に載置されているケーブルの重みで支持部３０が基部１０を支点に下方に傾斜してケーブルの保持が不安定化するのを防止するためであり、本実施形態の支持具では、横方向に連結し、ケーブルを載置したとき、各支持具は水平の直線状の姿勢に維持される。
【００３８】
ところで、上記実施形態の２つの支持具は、請求項の係止部と被係止部とを係止する係止手段により連結することができ、本実施形態では、掛止部１７が係止部に相当し、被掛止部３３が被係止部に相当している。但し、本発明を実施する場合には、係止手段は、本実施形態の掛止部１７が被掛止部３３に掛止する掛止手段に限られるものではない。
【００３９】
また、上記実施形態の支持具１は、下方から掛止部１７を他の支持具１Ａの補強壁３２に近接して受入空間２０内に補強壁３２を挿入してから、図３(b)に示すように、掛止部１７を他の支持具１Ａの基部１０側に向けて水平方向にスライドさせて掛止部１７を他の支持具１Ａの被掛止部３３に引掛けることにより、他の支持具１Ａに連結しているが、本発明を実施する場合には、掛止部１７を水平方向にスライドする前に、または水平方向にスライドさせることにより、掛止部１７を他の支持具１Ａの被掛止部３３に引掛けた状態としてから、受入空間２０内に補強壁３２を挿入して連結するようにしてもよい。例えば、図７に示すように、支持部３０の下側の基部１０側寄りの部分に下方に垂下した補強壁３２を設け、補強壁３２の下端縁に補強壁３２より長く水平方向に張り出した被掛止部３３を設けたものとし、先に支持具１の掛止部１７を水平方向のスライドにより他の支持具１Ａの被掛止部３３に引掛けてから、更なる水平方向のスライドによって支持具１の受入空間２０内に他の支持具１Ａの補強壁３２を挿入することにより、連結するものとしてもよい。
【００４０】
そして、上記実施形態の上端部の固定部１３において他の支持具１Ａの下端部の固定部１５と対向する底壁部１１の面は、平坦面に形成されているが、これに限られることはなく、底壁部１１に部分的に凹み面を形成し、上端部の固定部１３と他の支持具１Ａの下端部の固定部１５との隙間を拡張して、ビス４０の頭部４１との干渉をより確実に回避できるようにしてもよい。
【００４１】
加えて、上記実施形態の頭部収容空間は、ベース体あるいは配線・配管材受け具と、吊下げ体と、で協働して形成してもよいし、ベース体あるいは配線・配管材受け具のみ、または吊下げ体のみで形成してもよい。
【００４２】
更に、上記実施形態の各支持具の上端部あるいは下端部の固定部は、矩形板状の底壁部１１の上端部あるいは下端部において左右いずれか一方あるいは両方に横方向に突片を延出し、この突片にビス挿通孔を設けたものとしてもよい。この場合、固定部の上方には何も存在しないので、ビス４０を固定し易い。
【００４３】
そして、上記実施形態の支持具１は、掛止部１７をビス４０の挿通方向すなわち支持具１の前方から他の支持具１Ａの被掛止部３３に掛止させることにより、他の支持具１Ａを壁面５０に固定してからこれに追加で連結して固定し得るものとしているが、支持具１と他の支持具１Ａとの連結手段は、壁面５０に固定された他の支持具１Ａの前方から連結できるものであれば如何なるものであってもよい。
【００４４】
加えて、上記実施形態では、２つの支持具を連結した状態で壁面５０に固定するものを示しているが、３つ以上の支持具を３段以上に連結する場合にも同様に適用することができる。
【００４５】
上記実施形態の支持具１は、横方向にも連結可能とするために第二掛止部２２及び第二被掛止部３５を設けているが、本発明を実施する場合には、これらは必ずしも設けなくてもよい。
【００４６】
なお、上記実施形態では、配線・配管材は、ケーブルを例示しているが、本発明は、他の配線材、配管材にも同様に適用できる。また、支持具が固定される構造物は、建物の壁面５０を例示しているが、他の天井面、床面等であってもよい。
【符号の説明】
【００４７】
１  支持具                          ３０  支持部
１Ａ  他の支持具                    ３１  載置面
２、３  連結装置                    ３２  補強壁
１０  基部                          ３３  被掛止部
１３、１５  固定部                  ４０  ビス
１４、１６  ビス挿通孔              ４１  頭部
１７  掛止部                        ５０  壁面
２０  受入空間                      Ｌ    固定部と他の支持具の固定部との隙間
【図１】
2020118266.tif 000003
【図２】
2020118266.tif 000004
【図３】
2020118266.tif 000005
【図４】
2020118266.tif 000006
【図５】
2020118266.tif 000007
【図６】
2020118266.tif 000008
【図７】
2020118266.tif 000009
【図８】
2020118266.tif 000010